(57)【要約】  本発明は、液晶表示装置（１０）に関し、この表示装置は、バックライトシステム（１４）とＬＣＤフィルタパネル（１２）との間の光路に配されたスペクトル除去フィルタ（１８）を有する。この除去フィルタは、表示の色域を増大させるために選択された波長範囲内で照射光の量を低減するように適応される。除去フィルタはまた、広い色域のためのフィルタリング状態と高輝度のための透過状態との間で調整可能とされる。
2007534021.tif 000002
【特許請求の範囲】
【請求項１】
液晶表示装置であって、
・カラーフィルタパネルと、
・前記フィルタパネルに照射光を送るバックライトシステムであって、前記フィルタパネルが看視者に向けて当該バックライトシステムからの光の所望の色を選択的に透過するように作用可能なものとしたバックライトシステムと、
・前記バックライトシステムと前記フィルタパネルとの間の光路に配される調整可能型スペクトル除去フィルタであって、当該表示の色域を増大するために選択される波長範囲内の照射光の量を低減するように適応させられるスペクトル除去フィルタと、
を有する液晶表示装置。
【請求項２】
請求項１に記載の表示装置であって、前記スペクトル除去フィルタは、広い色域のためのフィルタリング状態と高輝度のための透過状態との間で調整可能である、表示装置。
【請求項３】
請求項２に記載の表示装置であって、前記スペクトル除去フィルタは、前記フィルタリング状態に調整されたときに前記選択された波長範囲内の照射光を略遮断するように適応させられる、表示装置。
【請求項４】
請求項１に記載の表示装置であって、前記スペクトル除去フィルタは、回動可能な複数のブラインドに設けられている、表示装置。
【請求項５】
請求項１に記載の表示装置であって、前記スペクトル除去フィルタは、少なくとも２つの分離したフィルタエレメントを有し、その少なくとも１つは、パターン化された構造のフィルタリング領域を有し、前記フィルタエレメントは、連携して可変な色域を呈するために互いに移動可能とされた、表示装置。
【請求項６】
請求項５に記載の表示装置であって、前記フィルタエレメントは、相補的にパターン化された構造のフィルタリング及び透過領域を有する、表示装置。
【請求項７】
請求項５に記載の表示装置であって、前記スペクトル除去フィルタは、前記フィルタエレメントにおいて市松模様の構造のフィルタ領域を有する、表示装置。
【請求項８】
請求項１に記載の表示装置であって、前記スペクトル除去フィルタは、ダイクロイック干渉フィルタにより構成される、表示装置。
【請求項９】
請求項１に記載の表示装置であって、前記スペクトル除去フィルタは、吸収エレメントを有する、表示装置。
【請求項１０】
請求項９に記載の表示装置であって、前記スペクトル除去フィルタは、吸収性染料を有する、表示装置。
【請求項１１】
請求項１に記載の表示装置であって、前記スペクトル除去フィルタは、前記バックライトシステムの光源を取り囲む、表示装置。
【請求項１２】
請求項１に記載の表示装置であって、前記スペクトル除去フィルタは、前記バックライトシステムにおける導光体の端面の近くに配される、表示装置。
【請求項１３】
請求項１に記載の表示装置であって、前記スペクトル除去フィルタは、４９０ｎｍ周辺の第１波長範囲内及び５７０ｎｍ周辺の第２波長範囲内の照射光の量を低減又は遮断するように適応されている、表示装置。
【請求項１４】
請求項１３に記載の表示装置であって、前記第１及び第２の波長範囲の各々は、少なくとも２０ｎｍの幅がある、表示装置。
【請求項１５】
請求項１に記載の表示装置と、前記表示装置に画像信号を供給するビデオ処理回路とを有するディスプレイ製品。
【発明の詳細な説明】
【技術分野】
【０００１】
本発明は、直視型液晶表示（ＬＣＤ）装置に関する。
【背景技術】
【０００２】
今日の標準的なＬＣＤシステムは、ＬＣＤパネルに組み込まれたモザイク状のカラーフィルタパターンによるものである。各カラーエレメントは、見る人の側へ所望の色を通過させるとともに所望していない色成分を吸収する吸収性フィルタエレメントにより構成されるのが普通である。ＬＣＤパネルに入射する照射光は、バックライトシステムにより与えられ、通常は蛍光灯を有する。バックライトシステム（蛍光体）のスペクトル特性は、ＥＢＵ（ヨーロッパ放送連合；European Broadcasting Union）規格に準じた又はこの規格若しくは他の何らかの規格に近い適切な色を得るために、ＬＣＤパネルにおけるフィルタエレメントのスペクトル特性とマッチングがとられる。
【０００３】
しかしながら、多くのディスプレイ用途では、慣例的な表示システムにより提供されるものよりも広い色域を有することが望まれる。こうした要求は、デスクトップパブリッシングや、写真編集、高品位ＤＶＤ画像、益々重要になってきている電子商取引など幾つかの新しい用途において高まっている。こうした用途の全ては、見る人／ユーザにとって、現在提供されているものよりも「真の」色を表示する実現性によって利益を得ることになると目される。
【０００４】
当業界において知られているように、表示システムの色域は、当該システムにより生成されることのできる色の全部の範囲である。通常、表示システムの色域は、色度図における色三角形により示される。色度図において色三角形が大きいと、幅の広い色域となる。
【０００５】
液晶表示システムのための改善された色域を形成するこれまでの試みでは、バックライトのための発光ダイオード（ＬＥＤ）を用いることが提案されてきた。しかしながら、ＬＥＤの性能は、表示システムには満足のいくものでない場合が多い。例えば、青色発光ダイオードの寿命は、実用的な用途において短すぎる。
【０００６】
さらに、ＬＣＤシステムにおいて、飽和度の高い原色を使用すると、表示の輝度が低くなる不利益を招く可能性がある。また、表示される色の数が減ってしまうリスクもある。例えば、赤、緑及び青色チャネルの各々が８ビットの階調レベル（２５６レベル）を示すことができる場合、全体のシステムでは、２５６×２５６×２５６の異なる色を表すことが可能である。よって、ソースデータ情報は、この色空間の中で表示されるべきである。ここで、当該ソースデータがＥＢＵ規格に準じて制限されている場合、表示システムに対する色域の増大により、見る人（看視者）に実際に表示される色が少なくなる。これは、特に、チャネル当たり２５６の階調レベルの数は人間の知覚テストの結果として最初に選択されたものであるという事実を考慮すると、画質の著しい低下をもたらす可能性がある。２つの隣接する階調レベルの間の差は、人間の眼の知覚を下回るものであり、実際の階調レベルの数が減ると、見る人には目立つものとなる。
【０００７】
また、色域を改善する試みは、多くの場合ＬＣＤパネルに関しての新しい条件を導くものであり、この結果、かかるパネルの製造プロセスのコストのかかる変更をもたらすものである。
【０００８】
したがって、ＥＢＵ限定のソースデータに対しては、直視型ＬＣＤシステムの色域は、ＥＢＵ範囲に準拠するのが好ましい。他方、ソースデータが大きな色空間を規定する色々な用途がある。この場合において、表示システムのより広い色域を有する一般的な要望がある。
【０００９】
したがって、標準のＬＣＤパネルを用いた表示システムに対しては、ＥＢＵソースデータに対してどのようにして高輝度を得るかという点と広い色情報を有するソースデータに対してどのようにして広い色域を得るかという点とのトレードオフがある。
【発明の開示】
【発明が解決しようとする課題】
【００１０】
本発明は、改善された液晶表示装置を提供することを目的としている。
【課題を解決するための手段】
【００１１】
本発明は、独立請求項により規定される。従属請求項は、効果的な実施例を規定する。
【００１２】
標準のＬＣＤパネルに対して、基本的にパネル自体何ら変更を伴うことなく、本発明によるスペクトル除去フィルタを導入することができる。これにより、非常に経済的な方策となる。本発明によれば、バックライトなどの照射光の或る成分を除去（吸収又は反射）する色除去フィルタを含むことが提案される。これにより、「より純度の高い」原色が提供され、もってより大きな色三角形が形成される。同時に、この除去フィルタは、広い色域のためのフィルタリング状態と高輝度のための透過状態との間で調整可能である。
【００１３】
改善された色域は、選択された波長範囲内の照射光の量を削減することにより、又は或る波長範囲における光を全体的に遮断することにより達成することができる。本発明の技術的作用は、選択された波長範囲内の光の量を削減することだけであるときに得られるものの、通過域外の光をほぼ完全に遮断する帯域通過フィルタの形態を採る除去を呈することが好ましい。そして色域拡大の量は、通過帯域の幅を適切に設定することにより選択可能である。
【００１４】
序文に述べたように、色域を広げるための直視型ＬＣＤシステムにおける原色のスペクトル除去フィルタリングは、表示の輝度を減らすことになる。表示されるべき（ＥＢＵ限定の又は大なる色空間を表す）ソースデータに基づいて、広い色域又は最大の輝度を所望することができる。したがって、本発明は、広い色域又は高輝度のために設定可能な調整可能型除去フィルタを有するディスプレイを提供する。好ましくは、かかる除去フィルタは、最適な視覚状態を可能とするために、最大色域と最大輝度との間の中間状態に設定することも可能である。当該除去フィルタの設定は、ユーザ／見る人により効果的に行うことができる。
【００１５】
したがって本発明の利点は、基本的に除去フィルタエレメントを含ませること以外の当該システムの変更を伴うことなく、現行のＬＣＤディスプレイの色域が改善することができる。原理的に、ＬＣＤパネルの構成は、変更を必要としない。これは、現行の製造方法及び標準のＬＣＤパネルが維持可能であり、所望の場合には広い色域を許容したままであることを意味する。
【００１６】
本発明は、広い色域は、ＬＣＤディスプレイを照射する光の或る色成分を除去することにより得ることができるという認識に基づいている。通常、カラーフィルタパネルにより提供されるような原色の赤、緑及び青に対してスペクトル純度を向上させるために、当該照射光における黄色及び青緑色の成分は除去されることになる。これにより、観察者により確認されるようなカラーフィルタパネルの原色の色座標は、色三角形の中心から離れ、当該システムの広い色域を効果的にもたらすこととなる。さらに、色域の増大は、表示輝度の減少を必然的に伴うものであるとの認識もある。したがって、ディスプレイを種々の動作状況に適合させるために、本発明は、ＬＣＤパネルに到達する前に、バックライトシステムからの照射光の或る波長成分を選択的に除去するための調整可能なスペクトル除去フィルタを使用することを提案しているのである。
【００１７】
以下の好適実施例の詳細な説明において、本発明がどのように実現可能かを明らかにする。詳細な説明では、図面を参照する。
【００１８】
図面において、同様の部分は同様の参照符号により示される。
【発明を実施するための最良の形態】
【００１９】
図１は、本発明の包括的実施例による液晶表示装置１０とビデオ処理回路ＶＰＣを有するディスプレイ製品ＤＰを概略的に示している。ビデオ処理回路ＶＰＣは、入力信号Ｖ１、例えばアンテナ信号又はＤＶＤプレーヤなどのビデオソースからの信号を受信する入力部を有する。この製品は、反射型又は透過型ＬＣＤとすることができる。また、フロント又はリアプロジェクションのための直視型ＬＣＤ又はプロジェクタとすることもできる。プロジェクタの場合、平行化光学システムによりバックライトが形成される。ＬＣＤ装置１０は、当該表示に関する画像を生成する標準のＬＣＤパネル１２と、ＬＣＤパネルに照射をなすバックライトシステム１４とを有する。本例では、バックライトシステムは、多数の蛍光管１３を有しており、この蛍光管は、当該蛍光管により発せられた光をＬＣＤパネル１２に向けるための反射器１５の前に配されている。バックライトシステムの光源１３とＬＣＤパネルとの間には、バックライトシステムにより発せられた光を拡散するためのディフューザ（拡散器）１６が設けられる。また、本発明によるスペクトル除去フィルタ１８は、ディフューザとバックライトシステムとの間に設けられる。なお、ランプ１３及び反射器１５を含むバックライトシステム１４も、ディフューザ１６やＬＣＤパネル１２も、標準の構成部品とすることができる。本発明によるスペクトル除去フィルタ１８は、その色域の調整機能を提供するために現行のＬＣＤシステムの殆ど又は全てに導入可能である。除去フィルタ１８は、モータＭにより調整可能なものとすることができる。このモータＭは、例えば、遠隔制御手段（図示せず）によってユーザにより制御可能であり、或いは、ビデオ処理回路ＶＰＣにより制御可能である。
【００２０】
図２は、ＬＣＤのバックライトシステムの代表的な発光スペクトルを示している。強度Ｉは、ナノメートルの波長Ｗの関数として任意の単位（arbitrary unit）で示されている。また、波長Ｗに関連した光の色が示されている。ＵＶは、紫外線光を示し、Ｂ，Ｇ，Ｙ，Ｒは、それぞれ青色、緑色、黄色及び赤色の光を示しており、ＩＲは、赤外線光を示している。この分野では知られているように、ＬＣＤパネルは、各色画素において所望の波長を選択的に透過させることにより色画像を生成するためにこの光をフィルタリングする画素フィルタを有する。代表的ＬＣＤシステムでは、３つの原色の赤、緑及び青とされたものから画像が構築される。当該システムの色域は、大概は、これら原色の状況によって決められる。すなわち、原色の各々の波長範囲が大きいと、当該システムの色域は狭くなることになる。特に、バックライトシステムからの照射光のうちの緑がかった青や黄色のような成分は、色域について制限をもたらす。
【００２１】
画像を生成するため、バックライトからの照射光は、ＬＣＤパネルの赤、緑及び青（ＲＧＢ）の色画素を選択的に通過させられる。但し、バックライトからの発光は、３つの原色のスペクトルのエッジに近いスペクトル成分も含む。多くのＬＣＤパネルでは、このようなスペクトル成分は、パネルを通過させられ、生成された画像に現われ、これにより表示の色域を減少させている。黄色及び青緑のスペクトル成分は、ＲＧＢ画素に現われることになる。これを回避し、広い色域を提供するため、本発明は、ＬＣＤパネルとバックライトシステムとの間にスペクトル除去フィルタを使用することを提案するものである。代表的な除去フィルタの特性は、図３に概略的に示されており、ここでは、青及び緑のスペクトル成分の長波長部分がバックライトがＬＣＤパネルに到達する前に除去されることを示している（ハッチングの施された領域）。ＬＣＤパネルの限定されたスペクトルの選択性の問題は、深い色の原色がパネルに照射するので、軽減されることになる。
【００２２】
通常、スペクトル除去フィルタは、４９０ｎｍ（青緑）の周辺及び５７０ｎｍ（黄色）の周辺のバックライトのスペクトル成分を除去する。好ましくは、このバックライトの除去される部分は、幅にして少なくとも２０ｎｍである。例えば、スペクトル除去フィルタは、概して４７５ｎｍないし５０５ｎｍの間の第１の領域において、また、概して５５５ｎｍないし５９０ｎｍの間の第２の領域においてバックライトからの光の量を遮断又は低減することができる。
【００２３】
このように、スペクトル除去フィルタの機能は、バックライトの或る波長成分を除去し、原色の深い色相（高飽和度）を効果的にもたらし、もって当該システムの広い色域を導くことである。このため、図３においてハッチングが施された領域により示されるように、バックライトの青緑及び黄色の成分は、ＬＣＤパネルに達する光から除去される。
【００２４】
図３に示される場合における色域に対するスペクトル除去フィルタの作用は、図４に示される。この図は、ポータブルコンピュータやデスクトップＬＣＤモニタに用いられているような標準的なＬＣＤモジュールの色三角形（ＣＩＥ１９３１に準じた色度図による）を示している。ポイントＲ，Ｇ及びＢは、スペクトル除去フィルタのない原色を示している。ＬＣＤモジュールは、ＥＢＵ（ヨーロッパ放送連合；European Broadcasting Union）に準じて構成されている。
【００２５】
この図はまた、当該除去フィルタが設けられた場合の上記のものに対応するより大きな色三角形を示しており、Ｒ´，Ｇ´及びＢ´が原色を示している。ＬＣＤパネルの赤、緑及び青のフィルタにより通過する光は、ここでは、より狭いスペクトル帯域を含み、これらの色の色座標が当該色三角形の中心から外へ離されることを意味している。その結果、全ＥＢＵ色域をカバーしかつＥＢＵ規格の外側の色を得ることができる広い色域となる。
【００２６】
但し、ディスプレイの色域が除去フィルタにより改善される一方で、バックライトは実際にはフィルタ処理されるので幾分かは輝度が低下することになる。したがって本発明は、調整可能な除去フィルタ構成を規定するものである。
【００２７】
一実施例において、スペクトル除去フィルタは、図５ａないし図５ｃに示されるように回動可能又は回転可能なブラインドの上に構成される。このようなブラインドは、除去フィルタがバックライトとＬＣＤパネルとの間の領域のほぼ全てをカバーしもって完全な色域の向上（但し輝度は減る）をもたらす１つの状態（図５ａ）と、除去フィルタのブラインドが輝度を最大化するするためにバックライトからのほぼ全ての光を通過させるように調整させられる他の状態（図５ｂ）との間で、回動、回転又は調整されることが可能である。その第１の状態（図５ａ）は、広色域フィルタリング状態と呼ばれ、第２の状態（図５ｂ）は、高輝度透過状態と呼ばれる。所望の設定の色域／輝度を得るために、図５ｃに示されるように、除去フィルタを中間状態に調整することができるようにするのが有利である。
【００２８】
他の実施例において、除去フィルタは、図６ａないし図６ｃに示されるようにパターン化された第１及び第２のフィルタエレメントの形態に構成される。なお、除去フィルタだけが示されているが、簡明とするためにＬＣＤ装置の他の構成要素を省いている。第１及び第２のフィルタエレメントの各々は、フィルタリング領域と非フィルタリング領域との双方を有する。除去フィルタのない非フィルタリング領域においては、バックライトのほぼ全てがＬＣＤパネルに向かって透過することになる。フィルタエレメントは、板状又は筒体として、或いは他の適切な形状に形成可能である。
【００２９】
フィルタエレメントは、互いに移動可能であり、その２つのエレメントが最小の色域広域化及び最高の輝度をなすように全体的に重なり、或いは最大の色域広域化をなすために全体的に重ならないようにすることができるものとしている。
【００３０】
図６ａに示されるように、パターン化されたフィルタエレメントが互いに補完するその第２のケースの場合、バックライトシステムにより発せられる全ての光がＬＣＤパネルに達する前にフィルタ処理されることになる。実際、当該スペクトルのフィルタ処理の施された部分は、ＬＣＤパネル又は見る人の眼に到達することはない。したがってフィルタエレメントのこの設定は、当該システムに最も広い色域を与えるものである。
【００３１】
図６ｂに示されるように、パターン化されたフィルタエレメントが全体的に重なるその第１のケースでは、バックライトシステムにより発せられた光の半分が直接、フィルタリングを伴うことなくＬＣＤパネルに透過し、その光の半分が除去される。このフィルタエレメントの設定により、当該システムに最大の輝度を付与することになる。なお、除去フィルタ領域が反射型フィルタにより構成される場合、バックライトの遮断部分は、バックライトシステムにおいてリサイクルされることになる。この光の大部分は、最終的に非フィルタリング部分を透過することになり、もってＬＣＤパネルに達し、さらに表示輝度への付加となる。
【００３２】
また、フィルタエレメントは、上記２つの外側限界の間の色域及び輝度を生成するため、図６ｃに示されるように部分的なオーバーラップとなるように設定可能である。
【００３３】
完全な色域の広域化を達成するため、２つのフィルタエレメントが相補的なフィルタリング領域を有し、これらが非フィルタリングアパーチャのないスペクトル除去フィルタを連携して形成するように調整されることができるようにするのがよい。
【００３４】
好ましくは、２つのフィルタエレメントの各々は、それぞれの領域の約５０％をカバーするフィルタリング領域を有するのがよい。これにより、フィルタエレメントが高輝度のために調整される場合、最大限可能な量の光がフィルタ処理されることなくＬＣＤパネルに透過させられる。
【００３５】
或いは、第１及び第２のフィルタエレメントの一方だけがパターン化されるととともに、第２のフィルタエレメントが光を完全に遮断（又は好ましくは反射）する相補的なパターンを有し、他は完全に開口とされる。当該パターンが互いの上部にある場合、第１のエレメントのパターン化された部分が第２のエレメントの遮断部分により完全に遮断される。第２のエレメントの開口部分は、第１のエレメントの非パターン化部分と位置あわせされるので、光は、こうした部分を通じてフィルタリングされることなく透過させられる。
【００３６】
パターンが相補的にシフトされる場合、第１エレメントの開口部は、第２のエレメントの遮断部分により遮断される。したがって、この場合、第１のエレメントのパターン化された部分によりフィルタ処理が施され、広い色域が得られる。
【００３７】
上述した実施例の各々に対して、広色域又は高輝度に当該除去フィルタを設定（調整）することは、ユーザにより制御することができて好都合である。
【００３８】
好ましいのは、スペクトル除去フィルタがダイクロイック干渉フィルタにより構成されることである。この分野において知られているように、干渉フィルタは、屈折率の異なる複数の透明層により構成されるのが普通である。このようなフィルタは、所望の波長範囲を反射するように受注製作することが可能である。本発明では、バックライトから排除されるべき波長において反射ピークを有するようにフィルタが構成される。このフィルタは、ガラスプレートや、プラスチックプレート、薄いプラスチックフィルムなどの適切な基板の上に形成可能である。
【００３９】
干渉フィルタではなく、吸収染料を有するフィルタなどの吸収を基礎とするフィルタを用いることもできる。
【００４０】
大面積ディスプレイに対しては、バックライトにおける導光体の端面近傍又はその光源の周辺など、照射光が横断する領域が小さい場所に除去フィルタを位置づけるのが好ましい。
【００４１】
フィルタエレメントの１つ又は各々は、機械的なシフト機構を設けることにより手で移動可能なものとすることができ、或いはモータＭにより移動可能なものとすることができる。好ましくは、フィルタエレメントの実際の相対位置に関連したビデオ処理回路ＶＰＳへのフィードバックが設けられる。これにより、除去フィルタの設定に基づいて、ビデオ信号Ｖ１のビデオ処理の適応が可能となる。
【００４２】
除去フィルタは、カラーフィルタパネル１２に表示されるべきビデオ信号Ｖ１に基づいて調整可能なようにしてもよい。この場合、ビデオ処理回路ＶＰＣ（図１参照）は、表示すべき後のビデオ画像の内容を解析し除去フィルタを調整し、当該入力信号の可能な最も良好な再生をなすように構成される。除去フィルタの調整は、フィルタエレメントの少なくとも１つを動かすためにモータＭを制御することにより実現される。
【００４３】
結び
ＬＣＤ装置にスペクトル除去フィルタを含ませることにより、ＬＣＤパネルに入射する照射光の或るスペクトル部分が除去される。これにより、原色のスペクトル純度が増し、表示の色域が広がる。但し、照射光の選択されたスペクトル成分を除去することにより、表示の全体の輝度は減少する。或る種の状況においては、色域の拡大は必要ではなく、或いは望まれないことすらある。したがって、広色域のフィルタリング状態と高輝度の透過状態との間で調整可能としている。除去フィルタを含ませることは、標準のＬＣＤ装置の他の特性を殆ど変えることなく実現することができる。したがって、本発明は、標準のＬＣＤパネルに対してその製造パラメータを変更することなく実現可能である。
【００４４】
なお、上述した実施例は、本発明を限定ではなく例示したものであり、当業者であれば、添付の請求項の範囲から逸脱することなく数多くの代替実施例を構成することができる。例えば、ソフトウェア又はハードウェアの様々なブロックの特徴の割り当ては、添付請求項の範囲から外れることなく変更可能である。請求の範囲において、括弧内に付される参照符号は、当該請求項を限定するものと解釈してはならない。「有する」なる動詞及びその活用形の使用は、請求項に記載のもの以外の要素又はステップの存在を排除するものではない。要素の単数表現は、当該要素の複数の存在を排除するものではない。複数の手段を列挙する装置に係る請求項において、これら手段の幾つかが同一アイテムのハードウェアにより具現化されてもよい。或る方策が相互に異なる従属請求項に挙げられるという点は、これら方策の組み合わせが活用できないことを示すものではない。
【図面の簡単な説明】
【００４５】
【図１】本発明による液晶表示装置を有するディスプレイ製品を概略的に示す図。
【図２】バックライトシステムの代表的発光スペクトルを示す図。
【図３】スペクトル除去フィルタの作用を示す図。
【図４】スペクトル除去フィルタのある場合とない場合の色域を示す図。
【図５ａ】本発明の第１の実施例の一形態を概略的に示す図。
【図５ｂ】本発明の第１の実施例の他の形態を概略的に示す図。
【図５ｃ】本発明の第１の実施例のさらに他の形態を概略的に示す図。
【図６ａ】本発明の第２の実施例の一形態を概略的に示す図。
【図６ｂ】本発明の第２の実施例の他の形態を概略的に示す図。
【図６ｃ】本発明の第２の実施例のさらに他の形態を概略的に示す図。
【図１】
2007534021.tif 000003
【図２】
2007534021.tif 000004
【図３】
2007534021.tif 000005
【図４】
2007534021.tif 000006
【図５ａ】
2007534021.tif 000007
【図５ｂ】
2007534021.tif 000008
【図５ｃ】
2007534021.tif 000009
【図６ａ】
2007534021.tif 000010
【図６ｂ】
2007534021.tif 000011
【図６ｃ】
2007534021.tif 000012
【国際調査報告】
2007534021.tif 000013
2007534021.tif 000014
2007534021.tif 000015